(57)【特許請求の範囲】
【請求項１】
風向偏向板を有する風向偏向ユニットが送風経路内に設けられており、前記送風経路の出口側に設けられた開口枠が前記送風経路の出口の上部側に回動中心を有するレジスタにおいて、
前記送風経路の一部がケースによって構成されているとともに、前記風向偏向ユニット及び前記風向偏向ユニットの下部側に配設されたトレイが前記送風経路に沿って移動可能に前記ケースに収納されており、
インストルメントパネルの前記レジスタが装着された部位は、下部側ほど前側に傾斜して形成されるとともに、前記ケースの前記開口枠側端部は、下部側ほど前側に傾斜して形成され、
前記開口枠が前記回動中心を中心にして引き上げ回動されたときの前記開口枠の移動に連動させて、前記風向偏向ユニットを前記送風経路の下流側から上流側へ移動させるとともに前記トレイを前記風向偏向ユニットとは反対側へ移動させる連動手段が設けられており、
前記連動手段は、前記開口枠に設けられるとともにその回動中心が前記開口枠の回動中心と一致するセクターギヤと、前記風向偏向ユニットに設けられたラックギヤと、前記トレイに設けられたラックギヤと、前記ケースに設けられたピニオンギヤとを備え、
前記トレイに設けられた前記ラックギヤは、前記セクターギヤに噛合されているとともに、前記ピニオンギヤは、前記セクターギヤと前記風向偏向ユニットに設けられたラックギヤとに噛合されており、
前記風向偏向ユニットに設けられた前記ラックギヤと前記トレイに設けられた前記ラックギヤとは、前記開口枠の回動に基づく前記ピニオンギヤの回転に伴って、互いに反対側へ移動するレジスタ。
【請求項２】
前記セクターギヤは、前記ピニオンギヤに噛合する第１歯列を内周側に有すると共に、前記トレイに設けられた前記ラックギヤに噛合する第２歯列を外周側に有する請求項１に記載のレジスタ。
【請求項３】
正規の位置にある前記開口枠は、その下端側が上端側よりも前側に位置するように、傾き配置されており、正規の位置にある前記風向偏向ユニットの一部は、正規の位置にある前記開口枠の枠内の直下にある請求項１又は請求項２に記載のレジスタ。
【発明の詳細な説明】
【技術分野】
【０００１】
本発明は、風向偏向板を有する風向偏向ユニットが送風経路内に設けられているレジスタに関する。
【背景技術】
【０００２】
この種のレジスタが例えば特許文献１，２に開示されている。特許文献１に開示のレジシタでは、可動ルーバー及びカップホルダが四角筒形状のリテーナ本体の筒内に収容されている。可動ルーバー及びカップホルダは、リテーナ本体内から引き出し可能であり、可動ルーバーは、リテーナ本体の出口側の下部に回動可能に連結されている。引き出された可動ルーバーは、水平状態に配置されてトレイの役割を果たし、引き出されたカップホルダは、カップホルダ上に載置されたカップの転倒を防止する。
【０００３】
しかし、可動ルーバーにトレイの役割を持たせる構成では、風向を変更可能なルーバーの場合にはトレイの役割を持たせるのは、好ましくない。
特許文献２に開示のレジスタでは、専用のトレイが用いられており、送風経路の出口に設けられた開口枠である回動体は、その上端部に回動中心を有する。この回動中心の周りに回動可能な回動体にはセクターギヤが止着されており、開口枠とセクターギヤとが一体的に回動中心の周りに回動可能である。セクターギヤには直線形状のギヤ部が噛合されており、ギヤ部は、トレイに止着されている。開口枠とセクターギヤとが一体的に回動すると、ギヤ部とトレイとが一体的に前後に移動する。回動体の下端側が引き上げられた状態では、トレイが送風経路の出口から前方へ飛び出し、カップをトレイの上に載せることができる。開口枠である回動体は、カップの転倒を防止するリング形状のホルダの役割を果たす。
【０００４】
特許文献１，２のいずれにおいても、送風経路を流れる風が温風であれば、ホットドリンクカップをトレイ上に置くことによってホットドリンクを保温する効果が期待でき、送風経路を流れる風が冷風であれば、コールドドリンクカップをトレイ上に置くことによってコールドドリンクを保冷する効果が期待できる。
【特許文献１】特開平７−２７７０５８号公報
【特許文献２】特開平８−９９５７５号公報
【発明の開示】
【発明が解決しようとする課題】
【０００５】
しかし、レジスタを設けるインストルメントパネルの前面が傾斜している場合には、特許文献２に開示の装置では、意匠的な観点から開口枠である回動体をインストルメントパネルの傾斜した前面に沿わせて傾けておくことが望ましい。インストルメントパネルの前面の傾斜が大きいと、回動体の傾きも大きくする必要がある。そうすると、回動体の下端を引き上げたときのこの下端の前方への移動量が少なくなり、下端を引き上げられた回動体のリング内にカップを挿入しても、トレイにカップを載せる前に、カップの下端がレジスタのフィンに接触してしまうおそれがある。このような不具合を回避するには、引き上げられた回動体のリング内がレジスタのフィンから前方へ大きく離れるように、回動体の上下方向の長さを大きくして回動体の回動中心をできるだけ高い位置に設定すればよい。しかし、インストルメントパネルやレジスタの意匠的な制約によって回動体の上下方向の長さを大きくすることは難しい。
【０００６】
本発明は、レジスタの開口枠の上下方向の長さを大きくすることなく、カップ、缶等の載置物とレジスタのフィン（風向偏向板）との接触を回避できるレジスタを提供することを目的とする。
【課題を解決するための手段】
【０００７】
本発明は、風向偏向板を有する風向偏向ユニットが送風経路内に設けられており、前記送風経路の出口側に設けられた開口枠が前記送風経路の出口の上部側に回動中心を有するレジスタを対象とし、請求項１の発明は、前記送風経路の一部がケースによって構成されているとともに、前記風向偏向ユニット及び前記風向偏向ユニットの下部側に配設されたトレイが前記送風経路に沿って移動可能に前記ケースに収納されており、インストルメントパネルの前記レジスタが装着された部位は、下部側ほど前側に傾斜して形成されるとともに、前記ケースの前記開口枠側端部は、下部側ほど前側に傾斜して形成され、前記開口枠が前記回動中心を中心にして引き上げ回動されたときの前記開口枠の移動に連動させて、前記風向偏向ユニットを前記送風経路の下流側から上流側へ移動させるとともに前記トレイを前記風向偏向ユニットとは反対側へ移動させる連動手段が設けられており、前記連動手段は、前記開口枠に設けられるとともにその回動中心が前記開口枠の回動中心と一致するセクターギヤと、前記風向偏向ユニットに設けられたラックギヤと、前記トレイに設けられたラックギヤと、前記ケースに設けられたピニオンギヤとを備え、前記トレイに設けられた前記ラックギヤは、前記セクターギヤに噛合されているとともに、前記ピニオンギヤは、前記セクターギヤと前記風向偏向ユニットに設けられたラックギヤとに噛合されており、前記風向偏向ユニットに設けられた前記ラックギヤと前記トレイに設けられた前記ラックギヤとは、前記開口枠の回動に基づく前記ピニオンギヤの回転に伴って、互いに反対側へ移動することを特徴とする。
【０００８】
開口枠が引き上げ回動されると、風向偏向ユニットが送風経路の下流側から上流側へ移動する。従って、引き上げられた開口枠の枠内の直下から風向偏向ユニットを退避させることができ、レジスタの開口枠の上下方向の長さを大きくしなくとも、開口枠の枠内へ挿入された缶、カップ等と風向偏向ユニットとの接触が回避される。
また、開口枠が引き上げられると、セクターギヤが開口枠の回動中心の周りに回動し、ピニオンギヤが回転する。ピニオンギヤの回転は、風向偏向ユニットに設けられたラックギヤに伝えられ、風向偏向ユニットに設けられたラックギヤが送風経路の下流側から上流側へ移動する。従って、風向偏向ユニットが送風経路の下流側から上流側へ移動する。セクターギヤ、ピニオンギヤ及びラックギヤを備えた連動手段は、開口枠と風向偏向ユニットとを連動させる手段として簡便である。
さらに、開口枠が引き上げられると、セクターギヤが開口枠の回動中心の周りに回動し、ピニオンギヤが回転する。ピニオンギヤの回転は、トレイに設けられたラックギヤに伝えられ、このラックギヤが送風経路の上流側から下流側へ移動する。従って、トレイが送風経路の上流側から下流側へ移動する。セクターギヤ、ピニオンギヤ及び一対のラックギヤを備えた連動手段は、開口枠、風向偏向ユニット及びトレイを連動させる手段として簡便である。
【００１３】
好適な例では、前記セクターギヤは、前記ピニオンギヤに噛合する第１歯列を内周側に有すると共に、前記トレイに設けられた前記ラックギヤに噛合する第２歯列を外周側に有する。
【００１４】
第１歯列及び第２歯列をセクターギヤに設けた構成は、開口枠、風向偏向ユニット及びトレイを連動させる連動手段の機構の簡素化に寄与する。
好適な例では、正規の位置にある前記開口枠は、その下端側が上端側よりも前側に位置するように、傾き配置されており、正規の位置にある前記風向偏向ユニットの一部は、正規の位置にある前記開口枠の枠内の直下にある。
【００１５】
開口枠の正規の位置とは、開口枠が前記回動中心を中心にして引き上げられていないときの開口枠の位置のことである。傾き配置された開口枠を備えるレジスタは、本発明の適用対象として好適である。
【発明の効果】
【００１６】
本発明のレジスタは、開口枠の上下方向の長さを大きくすることなく、カップ、缶等の載置物とレジスタの風向偏向ユニットとの接触を回避できるという優れた効果を奏する。
【発明を実施するための最良の形態】
【００１７】
以下、本発明を具体化した第１の実施形態を図１〜図４に基づいて説明する。
図１（ａ），（ｂ）に示すように、レジスタ１１は、インストルメントパネル１２に装着されている。レジスタ１１は、四角筒形状のケース１３と、ケース１３内にケース１３の筒方向〔図１（ａ）に矢印Ｒで示す方向〕にスライド可能に収納された風向偏向ユニット１４と、ケース１３の前端１３０側に設けられた四角環状の開口枠１５と、ケース１３の下壁１３１と風向偏向ユニット１４との間にスライド可能に配設されたトレイ１６とを備えている。インストルメントパネル１２は、傾斜しており、ケース１３の前端１３０は、インストルメントパネル１２の傾斜に合わせて傾斜されている。ケース１３の後端は、空気調和装置（図示略）に接続された送風パイプ１０に接続されている。ケース１３の出口１３５〔図２（ａ），（ｂ）に図示〕側に設けられた開口枠１５の上枠１５０は、ケース１３の上壁１３２の前端部に軸１７を介して回動可能に連結されている。
【００１８】
図１（ａ）に示すように、下壁１３１の前端部にはラッチ機構１８が設けられており、開口枠１５の下枠１５１にはラッチ機構１８に掛け止められる掛け止め体１９が設けられている。掛け止め体１９がラッチ機構１８に掛け止められた状態にあるときに、開口枠１５の下枠１５１をラッチ機構１８に向けて押すとラッチ機構１８が開放され、掛け止め体１９がラッチ機構１８の係止作用から解放される。これにより、軸１７を中心にして開口枠１５を上方へ引き上げ回動することができる。
【００１９】
インストルメントパネル１２は、傾斜しており、図１（ａ），（ｂ）に示す正規の位置にある開口枠１５は、インストルメントパネル１２の傾斜に合わせて傾斜されている。つまり、正規の位置にある開口枠１５は、その下端側が上端側よりも前側〔図１（ａ），（ｂ）において右側〕に位置するように、傾き配置されている。
【００２０】
風向偏向ユニット１４は、ケース１３にスライド可能に嵌合された四角筒形状のダクト２０を備えている。ダクト２０の前端２００は、インストルメントパネル１２及び開口枠１５の傾斜に合わせて傾斜されている。ダクト２０の先端側は、正規の位置にある開口枠１５の直下まではみ出している。つまり、風向偏向ユニット１４の一部は、正規の位置にある開口枠１５の直下にある。ダクト２０内には複数の第１の風向偏向板２１，２１Ａが上下方向に間隔をおいて配設されている。
【００２１】
図３に示すように、各第１の風向偏向板２１，２１Ａは、それらの左右両端に設けられた支軸２１１，２１２を介してダクト２０の側壁２０１，２０２に回動可能に支持されている。第１の風向偏向板２１，２１Ａの一方の端部には突起２１３が形成されている。各第１の風向偏向板２１，２１Ａの突起２１３には連結ロッド２２が相対回動可能に連結されており、各第１の風向偏向板２１，２１Ａの突起２１３は、連結ロッド２２に対して相対回動可能である。
【００２２】
図１（ａ）に示すように、複数の第１の風向偏向板２１，２１Ａのうちの第１の風向偏向板２１Ａには操作つまみ２３が第１の風向偏向板２１Ａの長さ方向へスライド可能に取り付けられている。操作つまみ２３の基端側〔図１（ａ）において右側〕を上下方向に押せば、第１の風向偏向板２１Ａが支軸２１１，２１２を中心にして上下に回動する。第１の風向偏向板２１Ａの上下方向の回動は、突起２１３及び連結ロッド２２を介して他の第１の風向偏向板２１へ伝えられ、全ての第１の風向偏向板２１，２１Ａが連動する。
【００２３】
図３に示すように、ダクト２０内には複数の第２の風向偏向板２４，２４Ａが左右方向に間隔をおいて配設されている。図１（ａ）に示すように、各第２の風向偏向板２４，２４Ａは、それらの上下両端に設けられた支軸２４１，２４２を介してダクト２０の上壁２０３と下壁２０４に回動可能に支持されている。第２の風向偏向板２４，２４Ａの上端部には突起２４３が形成されている。各第２の風向偏向板２４，２４Ａの突起２４３には連結ロッド２５が相対回動可能に連結されており、各第２の風向偏向板２４，２４Ａの突起２４３は、連結ロッド２５に対して相対回動可能である。
【００２４】
図３に示すように、複数の第２の風向偏向板２４，２４Ａのうちの第２の風向偏向板２４Ａには一対の係合片２４４，２４５が操作つまみ２３側に向けて突出するように形成されている。操作つまみ２３の先端側（図３において右側）には伝達片２３１が第２の風向偏向板２４Ａに向けて突出するように形成されている。伝達片２３１は、一対の係合片２４４，２４５間に入り込んでいる。操作つまみ２３を第１の風向偏向板２１Ａの長さ方向へスライドさせると、第２の風向偏向板２４Ａが支軸２４１，２４２を中心にして左右に回動する。第２の風向偏向板２４Ａの左右方向の回動は、突起２４３及び連結ロッド２５を介して他の第２の風向偏向板２４へ伝えられ、全ての第２の風向偏向板２４，２４Ａが連動する。
【００２５】
送風パイプ１０から送られてくる風は、ケース１３内に収納されたダクト２０内へ流入する。ダクト２０内へ流入した風は、第２の風向偏向板２４，２４Ａの左右方向への向きに応じて左右方向への偏向作用を受ける。第２の風向偏向板２４，２４Ａを通過した風は、第１の風向偏向板２１，２１Ａの上下方向への向きに応じて上下方向への偏向作用を受ける。第１の風向偏向板２１，２１Ａを通過した風は、ダクト２０の出口２０６を経由してケース１３外へと流出する。送風パイプ１０及びケース１３は、送風経路を構成し、風向偏向板を有する風向偏向ユニット１４が送風経路内に設けられている。ケース１３の出口１３５は、送風経路の出口となる。
【００２６】
図１（ｂ）、図３及び図４に示すように、ダクト２０の側壁２０１にはラックギヤ２６が止着されており、トレイ１６にはラックギヤ２７が止着されている。ラックギヤ２６の歯列２６１の方向は、ケース１３の筒方向〔図１（ａ）に矢印Ｒで示す方向、以下においては筒方向Ｒと記す〕に設定されており、ラックギヤ２７の歯列２７１の方向は、ケース１３の筒方向Ｒに設定されている。ラックギヤ２６の歯列２６１とラックギヤ２７の歯列２７１とは、対向している。
【００２７】
図３，４に示すように、ケース１３の側壁１３３にはピニオンギヤ２９が支軸３０を介して回転可能に支持されている。図１（ｂ）に示すように、ピニオンギヤ２９は、ラックギヤ２６とラックギヤ２７との間に配設されており、ラックギヤ２６とピニオンギヤ２９とが噛合されている。
【００２８】
開口枠１５の側枠１５２には円弧形状のセクターギヤ２８が止着されている。セクターギヤ２８は、ピニオンギヤ２９とラックギヤ２７との間に配設されている。セクターギヤ２８は、内周側に第１歯列２８１を有すると共に、外周側に第２歯列２８２を有する。第１歯列２８１は、ピニオンギヤ２９に噛合されており、第２歯列２８２は、ラックギヤ２７に噛合されている。円弧形状の第１歯列２８１の円弧中心は、軸１７上に設定されており、円弧形状の第２歯列２８２の円弧中心は、軸１７上に設定されている。
【００２９】
図１（ａ）に示すように、開口枠１５側の掛け止め体１９がラッチ機構１８に掛け止められているとき、つまり開口枠１５が図１（ａ），（ｂ）に示す正規の位置にあるときには、風向偏向ユニット１４の略全体がケース１３内に入り込んだ正規の位置にある。又、トレイ１６の略全体がケース１３内に入り込んだ正規の位置にある。風向偏向ユニット１４が正規の位置にあるときには、風向偏向ユニット１４の先端側は、上下方向に見て、開口枠１５の枠内にある。つまり、風向偏向ユニット１４が正規の位置にあるときには、風向偏向ユニット１４の先端側は、開口枠１５の枠内の直下に入り込んでいる。
【００３０】
開口枠１５、風向偏向ユニット１４及びトレイ１６が正規の位置にあるとき、開口枠１５の下枠１５１をラッチ機構１８に向けて押すとラッチ機構１８が開放される。これにより軸１７を中心にして開口枠１５を上方へ引き上げ回動することができる。軸１７を中心にして開口枠１５を上方へ引き上げ回動すると、セクターギヤ２８が軸１７を中心にして図１（ｂ）の矢印Ｑの方向へ回動する。セクターギヤ２８が矢印Ｑの方向へ回動すると、ピニオンギヤ２９が矢印Ｐの方向へ回転すると共に、ラックギヤ２７が矢印Ｌ１の方向へ移動する。これにより風向偏向ユニット１４が矢印Ｌ１の方向へ移動する。つまり、開口枠１５の下端部が引き上げられると、風向偏向ユニット１４が送風経路の下流側から上流側へ移動される。又、セクターギヤ２８が矢印Ｑの方向へ回動すると、ラックギヤ２７が矢印Ｌ２の方向へ移動する。これによりトレイ１６が矢印Ｌ２の方向へ移動する。つまり、開口枠１５の下端部が引き上げられると、トレイ１６が送風経路の上流側から下流側へ移動される。
【００３１】
図２（ａ），（ｂ）は、軸１７を中心にして開口枠１５を上方へ引き上げ回動した状態を示す。つまり、軸１７を中心にして開口枠１５を図２（ａ），（ｂ）に示す引き上げ位置へ引き上げ回動すると、風向偏向ユニット１４がケース１３内を開口枠１５側から送風パイプ１０側へ移動して図２（ａ），（ｂ）に示す後退位置へ配置されると共に、トレイ１６が送風パイプ１０側から開口枠１５側へ移動して図２（ａ），（ｂ）に示す前進位置へ配置される。風向偏向ユニット１４が後退位置に配置された状態では、ダクト２０の先端２０５は、上下方向に見て、引き上げ位置にある開口枠１５の上枠１５０の内縁１５３よりも送風パイプ１０側にある。又、トレイ１６が前進位置に配置された状態では、トレイ１６の先端１６１は、上下方向に見て、開口枠１５の下枠１５１の内縁１５４よりも前側に飛び出している。従って、図２（ａ），（ｂ）に示すように例えばドリンク缶３２を開口枠１５の枠内を通してトレイ１６上に載せた場合にも、ドリンク缶３２と風向偏向ユニット１４とが接触することはなく、且つドリンク缶３２がトレイ１６からはみ出すこともない。
【００３２】
図２（ａ），（ｂ）に示す引き上げ位置から図１（ａ），（ｂ）に示す正規の位置へ開口枠１５を引き下げ回動すると、セクターギヤ２８が図１（ｂ）の矢印Ｑの方向とは逆方向へ回動し、ピニオンギヤ２９が矢印Ｐの方向とは逆方向へ回転する。これにより、風向偏向ユニット１４が図２（ａ），（ｂ）に示す後退位置から図１（ａ），（ｂ）に示す正規の位置へ復帰し、トレイ１６が図２（ａ），（ｂ）に示す前進位置から図１（ａ），（ｂ）に示す正規の位置へ復帰する。
【００３３】
セクターギヤ２８、ピニオンギヤ２９及びラックギヤ２６は、開口枠１５が軸１７を中心にして引き上げ回動されたときの開口枠１５の移動に連動させて、風向偏向ユニット１４を送風経路の下流側から上流側へ移動させる連動手段３１を構成する。
【００３４】
第１の実施形態では以下の効果が得られる。
（１）風向偏向ユニット１４を構成するダクト２０の前端２００は、開口枠１５の傾斜に合わせて傾斜されており、ダクト２０の先端側は、正規の位置にある開口枠１５の直下まではみ出している。風向偏向ユニット１４が後退できない従来構成の場合には、この傾斜θ〔図１（ａ）に図示〕が大きいほど、風向偏向ユニット１４とドリンク缶３２との接触を回避することが難しくなる。
【００３５】
開口枠１５が軸１７を中心にして引き上げ回動されると、風向偏向ユニット１４が送風経路の下流側から上流側へ移動し、風向偏向ユニット１４の先端側が引き上げ位置にある開口枠１５の枠内の直下から退避する。従って、引き上げ位置へ引き上げられた開口枠１５の枠内へ挿入されたドリンク缶３２と風向偏向ユニット１４との接触が回避される。つまり、開口枠１５の上下方向の長さを大きくして開口枠１５の回動中心を高い位置に設定しなくとも、引き上げ位置へ引き上げられた開口枠１５の枠内へ挿入されたドリンク缶３２と風向偏向ユニット１４との接触を回避することができる。
【００３６】
開口枠１５の引き上げ回動に連動させて風向偏向ユニット１４を後退させる本実施形態では、正規の位置にある開口枠１５が傾斜し、かつダクト２０の先端側が開口枠１５の直下まではみ出している場合にも、開口枠１５の枠内へ挿入されたドリンク缶３２と風向偏向ユニット１４との接触を回避することができる。
【００３７】
（２）セクターギヤ２８、ピニオンギヤ２９及びラックギヤ２６を備えた連動手段３１は、正規の位置から引き上げ位置へ引き上げ回動される開口枠１５に連動させて風向偏向ユニット１４を送風経路の下流側から上流側へ移動させる。つまり、セクターギヤ２８、ピニオンギヤ２９及びラックギヤ２６を備えた連動手段３１は、開口枠１５の回動運動を直線運動に変換して風向偏向ユニット１４に伝えることにより、開口枠１５と風向偏向ユニット１４とを連動させる。ピニオンギヤ２９は、セクターギヤ２８の移動方向〔図１（ｂ）に矢印Ｑで示す方向〕とは逆方向〔図１（ｂ）に矢印Ｌ１で示す方向〕へ風向偏向ユニット１４を移動させるために必要である。セクターギヤ２８、ピニオンギヤ２９及びラックギヤ２６を備えた連動手段３１は、開口枠１５と風向偏向ユニット１４とを連動させる手段として簡便である。
【００３８】
（３）セクターギヤ２８、ピニオンギヤ２９及びラックギヤ２７を備えた連動手段は、正規の位置から引き上げ位置へ引き上げ回動される開口枠１５に連動させてトレイ１６を送風経路の上流側から下流側へ移動させる。つまり、セクターギヤ２８、ピニオンギヤ２９及びラックギヤ２７を備えた連動手段は、開口枠１５の回動運動を直線運動に変換してトレイ１６に伝えることにより、開口枠１５とトレイ１６とを連動させる。セクターギヤ２８、ピニオンギヤ２９及び一対のラックギヤ２６を備えた連動手段は、開口枠１５、風向偏向ユニット１４及びトレイ１６を連動させる連動手段として簡便である。
【００３９】
（４）セクターギヤ２８は、ピニオンギヤ２９に噛合する第１歯列２８１を内周側に有すると共に、トレイ１６に設けられたラックギヤ２７に噛合する第２歯列２８２を外周側に有する。第１歯列２８１及び第２歯列２８２をセクターギヤ２８に設けた構成は、開口枠１５、風向偏向ユニット１４及びトレイ１６を連動させる連動手段の構成部品の少なくして該連動手段の機構のコンパクト化及び簡素化に寄与する。
【００４０】
（５）セクターギヤ２８の内周側に設けられた第１歯列２８１は、風向偏向ユニット１４に止着されたラックギヤ２６に噛合しており、セクターギヤ２８の外周側に設けられた第２歯列２８２は、トレイ１６に止着されたラックギヤ２７に噛合している。円弧形状の第１歯列２８１の半径（軸１７から第１歯列２８１までの距離）は、円弧形状の第２歯列２８２の半径（軸１７から第２歯列２８２までの距離）よりも短い。従って、セクターギヤ２８が軸１７を中心にして回動したときの第１歯列２８１の移動量は、第２歯列２８２の移動量よりも小さい。つまり、セクターギヤ２８が軸１７を中心にして回動したときの風向偏向ユニット１４の移動量は、トレイ１６の移動量よりも小さい。つまり、トレイ１６が正規の位置から前進位置へ移動したときの移動量は、風向偏向ユニット１４が正規の位置から後退位置へ移動したときの移動量よりも大きい。このような移動量の違いをもたらす構成は、風向偏向ユニット１４の後退量を少なくてしてもよいけれども、ケース１３の前端１３０からのトレイ１６の飛び出し量を多くしたい場合に、好適である。風向偏向ユニット１４の後退量を少なくてしてもよいけれども、ケース１３の前端１３０からのトレイ１６の飛び出し量を多くしたい場合とは、例えば開口枠１５の傾斜が緩い場合〔つまり、インストルメントパネル１２の傾斜が緩い場合であり、図１（ａ）に図示するこの傾斜角θは、例えば４０°以下〕である。
【００４１】
本発明では以下のような実施形態も可能である。
・図５に示すように、ケース１３の側壁１３４とダクト２０の側壁２０２との間にも、セクターギヤ２８、ピニオンギヤ２９及び一対のラックギヤ２６，２７からなる連動手段３１Ａを設けてもよい。このようにすれば、開口枠１５の動きに連動した風向偏向ユニット１４及びトレイ１６の動きが第１の実施形態の場合よりも円滑に行われる。
【００４２】
・図６に示すように、トレイ１６の先端部に指掛け部１６２を設け、指掛け部１６２に指を掛けてトレイ１６を引き出せるようにしてもよい。トレイ１６の引き出し運動は、ラックギヤ２７及びセクターギヤ２８を介して開口枠１５へ伝えられると共に、セクターギヤ２８、ピニオンギヤ２９及びラックギヤ２６を介して風向偏向ユニット１４へ伝えられる。つまり、開口枠１５及び風向偏向ユニット１４は、トレイ１６の引き出し運動に連動する。
【００４４】
・ラックギヤ２６とダクト２０とを一体形成してもよい。
・ラックギヤ２７とトレイ１６とを一体形成してもよい。
・セクターギヤ２８と開口枠１５とを一体形成してもよい。
【００４５】
前記した実施形態から把握できる技術思想について以下に記載する。
〔１〕前記風向偏向ユニットは、風向偏向板を収容するケースを有し、前記トレイは、前記ケースの下側に配設されているレジスタ。
【００４６】
開口枠１５の一定の回動量に対してトレイの前進量を大きくすることができる。
〔２〕ラックギヤ２６、ピニオンギヤ２９及びセクターギヤ２８は、軸１７（開口枠１５の回動中心）よりも下側にあり、ピニオンギヤ２９は、ラックギヤ２６の下側、かつセクターギヤ２８の上側にあるレジスタ。
【００４７】
開口枠１５の一定の回動量に対して風向偏向ユニット１４の後退量を大きくすることができる。
【図面の簡単な説明】
【００４８】
【図１】第１実施形態を示し、（ａ）は、開口枠１５が正規の位置にある状態を示す側断面図。（ｂ）は、開口枠１５が正規の位置にあるときの連動手段を示す側断面図。
【図２】（ａ）は、開口枠１５が引き上げ位置にある状態を示す側断面図。（ｂ）は、開口枠１５が引き上げ位置にあるときの連動手段を示す側断面図。
【図３】図１（ｂ）のＡ−Ａ線断面図。
【図４】図２（ｂ）Ｂ−Ｂ線断面図。
【図５】別の実施形態を示す平断面図。
【図６】別の実施形態を示す側断面図。
【符号の説明】
【００４９】
１０…送風経路を構成する送風パイプ。１１…レジスタ。１３…送風経路を構成するケース。１３５…出口。１４…風向偏向ユニット。１５…開口枠。１６…トレイ。１７…回動中心となる軸。２１，２１Ａ…第１の風向偏向板。２２４，２４Ａ…第２の風向偏向板。２６…連動手段を構成するラックギヤ。２８…連動手段を構成するセクターギヤ。２８１…第１歯列。２８２…第２歯列。２９…連動手段を構成するピニオンギヤ。３１…連動手段。２７…トレイに設けられたラックギヤ。
【図１】
0004635770.tif 000002
【図２】
0004635770.tif 000003
【図３】
0004635770.tif 000004
【図４】
0004635770.tif 000005
【図５】
0004635770.tif 000006
【図６】
0004635770.tif 000007